(57)【要約】      （修正有）【課題】施錠可能に設けられた開閉部を備える保管庫の施錠又は開錠に関する利便性を向上させる。【解決手段】保管庫管理システムは、開錠又は施錠に関する条件を設定する条件設定手段と、条件設定手段により設定された条件を送信する条件送信手段とを有する管理装置１０と、施錠可能に設けられた開閉部３２と、識別対象者の識別情報を取得する識別情報取得手段と、管理装置から送信された条件を受信する条件受信手段と、識別情報取得手段により取得された識別情報と、条件受信手段により受信した条件とに基づいて、開閉部を開錠又は施錠するよう制御する制御手段とを有する保管庫２０とを備え、開錠又は施錠に関する条件は、予め定めた使用者ごとの使用可能な時間帯情報である。【選択図】図１
2014001567.tif 000002
【特許請求の範囲】
【請求項１】
開錠又は施錠に関する条件を設定する条件設定手段と、
前記条件設定手段により設定された条件を送信する条件送信手段と
を有する管理装置と、
施錠可能に設けられた開閉部と、
識別対象者の識別情報を取得する識別情報取得手段と、
前記管理装置から送信された条件を受信する条件受信手段と、
前記識別情報取得手段により取得された識別情報と、前記条件受信手段により受信した条件とに基づいて、前記開閉部を開錠又は施錠するよう制御する制御手段と
を有する保管庫と
を備え、
前記開錠又は施錠に関する条件には、予め定めた使用者ごとの使用可能な時間帯情報を含む
保管庫管理システム。
【請求項２】
前記識別情報取得手段は、第１の識別対象者及び第２の識別対象者からそれぞれ識別情報を取得し、
前記制御手段は、前記識別情報取得手段により取得された第１の識別対象者の識別情報及び第２の識別対象者の識別情報と、前記条件受信手段により受信した条件とに基づいて、前記開閉部を開錠又は施錠するよう制御する
請求項１記載の保管庫管理システム。
【請求項３】
前記管理装置は、
識別対象者の識別情報を取得する識別情報取得手段と、
該管理装置の前記識別情報取得手段により取得された識別情報を送信する識別情報送信手段と
をさらに有し、
前記保管庫は、
前記管理装置から送信された識別情報を受信する識別情報受信手段
をさらに有し、
前記制御手段は、前記保管庫の前記識別情報取得手段により取得された識別情報と、前記識別情報受信手段により受信した識別情報と、前記条件受信手段により受信した条件とに基づいて、前記開閉部を開錠又は施錠するよう制御する
請求項１記載の保管庫管理システム。
【請求項４】
前記管理装置は、
前記保管庫の状態を監視し、前記保管庫の状態が変化した場合に、前記条件設定手段により設定された条件を変更する設定条件変更手段
をさらに有し、
前記条件送信手段は、さらに、前記設定条件変更手段により変更された条件を送信する
請求項１記載の保管庫管理システム。
【請求項５】
前記保管庫は複数あり、
前記設定条件変更手段は、前記保管庫のいずれかに異常が生じた場合に、全て又は一部の保管庫について開錠ができないよう変更する
請求項４記載の保管庫管理システム。
【請求項６】
前記保管庫は複数あり、
前記保管庫は、
前記制御手段により前記開閉部が開錠された場合に、前記識別対象者の情報を前記管理装置へと送信する識別対象者情報送信手段
をさらに有し、
前記管理装置は、
前記保管庫から送信された識別対象者の情報を受信する識別対象者情報受信手段
をさらに有し、
前記設定条件変更手段は、識別対象者情報受信手段が受信した識別対象者の情報の送信元の保管庫以外の保管庫に対し、該識別対象者の情報により特定される識別対象者によって開錠できないよう変更する
請求項４記載の保管庫管理システム。
【請求項７】
前記保管庫は複数あり、
前記条件設定手段は、さらに、複数の前記保管庫の開錠順序を設定する
請求項１記載の保管庫管理システム。
【請求項８】
前記管理装置は、
前記条件設定手段により設定された開錠順序を変更する開錠順序変更手段
をさらに有する
請求項７記載の保管庫管理システム。
【請求項９】
前記管理装置は、
前記保管庫の開閉部を開錠又は施錠する開錠施錠手段
をさらに有する
請求項１記載の保管庫管理システム。
【請求項１０】
前記条件設定手段は、前記開錠施錠手段により前記保管庫の開閉部が施錠する場合に、該開閉部の開錠を禁止する条件を設定する
請求項９記載の保管庫管理システム。
【請求項１１】
前記保管庫は、
前記開閉部の開錠又は施錠の制御を行う機器と接続する接続手段
をさらに有し、
前記開閉部は、前記接続手段により接続された機器からの制御により開錠又は施錠する
請求項１記載の保管庫管理システム。
【請求項１２】
施錠可能に設けられた開閉部と、
識別対象者の識別情報を取得する識別情報取得手段と、
管理装置から送信された、前記開閉部の開錠又は施錠に関する条件を受信する条件受信手段と、
前記識別情報取得手段により取得された識別情報と、前記条件受信手段により受信した条件とに基づいて、前記開閉部を開錠又は施錠するよう制御する制御手段と
を有し、
前記開錠又は施錠に関する条件には、予め定めた使用者ごとの使用可能な時間帯情報を含む
保管庫。
【請求項１３】
前記開閉部の内側に、少なくとも１つ以上の施錠可能に設けられた副開閉部と、
前記開閉部の内側で、識別対象者の識別情報を取得する副識別情報取得手段と、
を有し、
前記制御手段は、さらに、少なくとも前記副識別情報取得手段により取得された識別情報に基づいて、前記副開閉部を開錠又は施錠するよう制御する
保管庫。
【発明の詳細な説明】
【技術分野】
【０００１】
本発明は、保管庫管理システム及び保管庫に関する。
【背景技術】
【０００２】
特許文献１は、集合ロッカーの各ロッカーに指静脈認証装置と電気錠を設け、各ロッカーに対応してこれらを制御する専用基板を設けて、ネットワークによりサーバーと接続し、ロッカーの使用に際して指静脈認証装置に指静脈パターンを入力し、利用者のデータとしてサーバーの専用固定メモリに登録し、ロッカーの開錠時はサーバーに登録済のデータを専用基板のメモリに呼び出し、指静脈認証装置に入力された指静脈パターンと照合して、電気錠を開錠することについて開示している。
【０００３】
特許文献２は、端末において、１又は複数の入金機と、各テナント別の入金情報の集計とその通信を実行する管理サーバとを具備し、各入金機は、テナントを識別するためのテナント情報を入力する手段と、入金された金銭の情報および当該金銭を入金したテナントのテナント情報とを管理サーバに通知する手段とを具備し、テナントは、任意の入金機に売上金を入金することができ、この入金情報を管理サーバでテナント別に集計し、通信回線を介して遠隔の管理センタに通知されることについて開示しており、さらに、管理センタは、金銭の集計管理を行う入金センタと、入金機内の金銭の回収管理を行う警備センタと、入金機の保守管理を行うための保守サービスセンタとを具備し、端末の管理サーバから必要な保守情報を保守サービスセンタに与えることについて開示している。
【０００４】
特許文献３は、利用者の身体の一部に装着され、利用者の生体情報を取得する認証用機器と、利用者の生体情報に基づいて利用者の認証用機器の使用が正当なものであるか否かの機器正当利用認証を行う認証サーバと、部屋又は建物ごとに設置され、認証用機器を装着した利用者が入室又は入館の許可を受けた本人であるか否かの本人認証を行い、認証が成功した場合に電気錠を解錠する認証装置とを備えた認証システムについて開示している。
【０００５】
特許文献４は、金庫室の開口部に設置される開閉可能な金庫扉を施錠する施錠機構と、施錠機構を開錠可能で、通常時の開錠手段として設定される生体認証機型開錠装置と、生体認証機型開錠装置とは独立して施錠機構を開錠可能で、非常時の開錠手段として設定されるダイアル式開錠装置と、ダイアル式開錠装置によって金庫扉が開錠されたときに開錠履歴情報を保存する履歴保存手段とを備えることについて開示している。
【０００６】
特許文献５は、開閉部を閉塞することで外部からの侵入を不可とする収納部を有するとともに、前記開閉部を解放不能に施錠する施錠手段と、解錠操作者或いは施錠操作者を特定可能な操作者特定情報並びに該解錠操作者或いは施錠操作者が本人であることを確認可能な本人確認情報とを受付け、該受付けた前記各情報を通信手段を介して外部の管理装置に送信し、該外部の管理装置から返信されてくる解錠許諾或いは施錠許諾に基づいて前記施錠手段の施解錠の制御を行う制御手段と、を備える金庫端末と、該金庫端末とデータ通信可能に接続され、前記金庫端末から送信されてくる操作者特定情報並びに本人確認情報とに基づき、操作者が予め施解錠が許諾された登録操作者本人であるかを判定し、該判定において登録操作者本人であると判定した場合において前記金庫端末に解錠許諾或いは施錠許諾を送信する管理装置と、から構成する金庫施解錠システムについて開示している。
【０００７】
特許文献６に開示された自動販売機では、認証部扉開閉鍵を用いて証認部扉の錠前を開錠し、証認部扉を開くと、内部に指紋認証装置が配置されており、作業員は、その指紋認証装置によって自己の指紋を読み取らせ、作業員が自動販売機の内部機構の保守のみを行う作業員であれば、本体扉開錠機構によって本体扉部は自動的に開錠され、作業員は取っ手により本体扉部を開いて内部の保守を行うことはできるが、売り上げ金等が収容されている金庫の蓋などは開くことはできない。一方、この作業員が、販売商品の補充と共に売上金の回収も行うことが任されている作業員であるときは、本体扉部が自動的に開錠されることはもちろんであるが、更に、金庫開錠スイッチを押すことによって金庫蓋が開錠され、中の売上金を回収することができる。
【先行技術文献】
【特許文献】
【０００８】
【特許文献１】特開２０１１−０３８３２９号公報
【特許文献２】特開平１１−２８８４８２号公報
【特許文献３】特開２００６−２８３３８３号公報
【特許文献４】特開２０１１−０６３９９７号公報
【特許文献５】特開２００３−１８４３７１号公報
【特許文献６】特開２００３−２３２１５４号公報
【発明の概要】
【発明が解決しようとする課題】
【０００９】
本発明の目的は、施錠可能に設けられた開閉部を備える保管庫の施錠又は開錠に関する利便性を向上させることにある。
【課題を解決するための手段】
【００１０】
本発明は、開錠又は施錠に関する条件を設定する条件設定手段と、前記条件設定手段により設定された条件を送信する条件送信手段とを有する管理装置と、施錠可能に設けられた開閉部と、識別対象者の識別情報を取得する識別情報取得手段と、前記管理装置から送信された条件を受信する条件受信手段と、前記識別情報取得手段により取得された識別情報と、前記条件受信手段により受信した条件とに基づいて、前記開閉部を開錠又は施錠するよう制御する制御手段とを有する保管庫とを備え、前記開錠又は施錠に関する条件には、予め定めた使用者ごとの使用可能な時間帯情報を含む保管庫管理システムである。
【００１１】
好適には、前記識別情報取得手段は、第１の識別対象者及び第２の識別対象者からそれぞれ識別情報を取得し、前記制御手段は、前記識別情報取得手段により取得された第１の識別対象者の識別情報及び第２の識別対象者の識別情報と、前記条件受信手段により受信した条件とに基づいて、前記開閉部を開錠又は施錠するよう制御する。
【００１２】
好適には、前記管理装置は、識別対象者の識別情報を取得する識別情報取得手段と、該管理装置の前記識別情報取得手段により取得された識別情報を送信する識別情報送信手段とをさらに有し、前記保管庫は、前記管理装置から送信された識別情報を受信する識別情報受信手段をさらに有し、前記制御手段は、前記保管庫の前記識別情報取得手段により取得された識別情報と、前記識別情報受信手段により受信した識別情報と、前記条件受信手段により受信した条件とに基づいて、前記開閉部を開錠又は施錠するよう制御する。
【００１３】
好適には、前記管理装置は、前記保管庫の状態を監視し、前記保管庫の状態が変化した場合に、前記条件設定手段により設定された条件を変更する設定条件変更手段をさらに有し、前記条件送信手段は、さらに、前記設定条件変更手段により変更された条件を送信する。
【００１４】
好適には、前記保管庫は複数あり、前記設定条件変更手段は、前記保管庫のいずれかに異常が生じた場合に、全て又は一部の保管庫について開錠ができないよう変更する。
【００１５】
好適には、前記保管庫は複数あり、前記保管庫は、前記制御手段により前記開閉部が開錠された場合に、前記識別対象者の情報を前記管理装置へと送信する識別対象者情報送信手段をさらに有し、前記管理装置は、前記保管庫から送信された識別対象者の情報を受信する識別対象者情報受信手段をさらに有し、前記設定条件変更手段は、識別対象者情報受信手段が受信した識別対象者の情報の送信元の保管庫以外の保管庫に対し、該識別対象者の情報により特定される識別対象者によって開錠できないよう変更する。
【００１６】
好適には、前記保管庫は複数あり、前記条件設定手段は、さらに、複数の前記保管庫の開錠順序を設定する。
【００１７】
好適には、前記管理装置は、前記条件設定手段により設定された開錠順序を変更する開錠順序変更手段をさらに有する。
【００１８】
好適には、前記管理装置は、前記保管庫の開閉部を開錠又は施錠する開錠施錠手段をさらに有する。
【００１９】
好適には、前記条件設定手段は、前記開錠施錠手段により前記保管庫の開閉部が施錠する場合に、該開閉部の開錠を禁止する条件を設定する。
【００２０】
好適には、前記保管庫は、前記開閉部の開錠又は施錠の制御を行う機器と接続する接続手段をさらに有し、前記開閉部は、前記接続手段により接続された機器からの制御により開錠又は施錠する。
【００２１】
また、本発明は、施錠可能に設けられた開閉部と、識別対象者の識別情報を取得する識別情報取得手段と、管理装置から送信された、前記開閉部の開錠又は施錠に関する条件を受信する条件受信手段と、前記識別情報取得手段により取得された識別情報と、前記条件受信手段により受信した条件とに基づいて、前記開閉部を開錠又は施錠するよう制御する制御手段とを有し、前記開錠又は施錠に関する条件には、予め定めた使用者ごとの使用可能な時間帯情報を含む保管庫である。
【００２２】
好適には、前記開閉部の内側に、少なくとも１つ以上の施錠可能に設けられた副開閉部と、前記開閉部の内側で、識別対象者の識別情報を取得する副識別情報取得手段と、を有し、前記制御手段は、さらに、少なくとも前記副識別情報取得手段により取得された識別情報に基づいて、前記副開閉部を開錠又は施錠するよう制御する。
【発明の効果】
【００２３】
本発明によれば、施錠可能に設けられた開閉部を備える保管庫として、本構成を有しない場合に比べて、施錠又は開錠に関する利便性が向上した保管庫管理システム及び保管庫を提供することができる。
【図面の簡単な説明】
【００２４】
【図１】本発明の第１の実施形態の実現に用いられる保管庫管理システム１の構成を例示する図である。
【図２】本発明の実施形態に係る管理装置１０のハードウェア構成を例示する図である。
【図３】本発明の実施形態に係る保管庫２０〜２６のハードウェア構成を例示する図である。
【図４】管理装置１０で実行されるプログラム１００の構成及び保管庫２０〜２６で実行されるプログラム２００の構成を例示する図である。
【図５】開閉部３２の内側の収納領域に、さらに施錠可能な開閉部を備えた保管庫２０の斜視図である。
【図６】履歴管理部１１２によりＵＩ装置４２へと出力される履歴一覧を例示する表である。
【図７】登録制御部２０２によって登録された開錠施錠ユーザの情報の一例を示す表である。
【図８】開錠施錠条件設定部１０８により設定された条件の一例を示す表である。
【図９】開錠施錠ユーザとして登録されるまでの保管庫管理システム１の動作を示すフローチャートである。
【図１０】開錠又は施錠に関する条件が設定されるまでの保管庫管理システム１の動作を示すフローチャートである。
【図１１】開錠又は施錠についての保管庫管理システム１の動作を示すフローチャートである。
【図１２】開錠又は施錠について複数の開錠施錠ユーザの認証を必要とする場合の保管庫管理システム１の動作を示すフローチャートである。
【図１３】第１の実施形態の変形例において、管理装置１０で実行されるプログラム１１８の構成及び保管庫２０〜２６で実行されるプログラム２１４の構成を例示するブロック図である。
【図１４】第２の実施形態において、管理装置１０で実行されるプログラム１２４の構成及び保管庫２０〜２６で実行されるプログラム２２０の構成を例示するブロック図である。
【図１５】第２の実施形態の変形例において、管理装置１０で実行されるプログラム１３２の構成及び保管庫２０〜２６で実行されるプログラム２２６の構成を例示するブロック図である。
【図１６】第３の実施形態において、管理装置１０で実行されるプログラム１４０の構成及び保管庫２０〜２６で実行されるプログラム２３４の構成を例示するブロック図である。
【図１７】開錠施錠条件設定部１４２により設定される条件の一例を示す表である。
【図１８】第４の実施形態において、管理装置１０で実行されるプログラム１４６の構成及び保管庫２０〜２６で実行されるプログラム２３８の構成を例示するブロック図である。
【図１９】第４の実施形態の変形例において、管理装置１０で実行されるプログラム１５６の構成及び保管庫２０〜２６で実行されるプログラム２４４の構成を例示するブロック図である。
【発明を実施するための形態】
【００２５】
以下、本発明の第1の実施形態について図面を参照して説明する。
図１は、本発明の第１の実施形態の実現に用いられる保管庫管理システム１の構成を例示する図である。
【００２６】
図１に示すように、保管庫管理システム１は、管理装置１０と、保管庫２０〜２６とから構成されており、管理装置１０と保管庫２０〜２６とは、インターネット等を含むネットワーク３０により接続されている。
【００２７】
管理装置１０は、例えば、事業所の本店に設けられており、保管庫２０〜２６は、事業所における支店に設けられている。ここで、支店Ａには、保管庫２０が設けられ、支店Ｂには、保管庫２２が設けられ、支店Ｃには保管庫２４及び保管庫２６が設けられている。例えば、保管庫２４及び保管庫２６は、支店Ｃ内のＬＡＮによりネットワーク構成されている。このように、保管庫は１つの支店に複数設けられていてもよい。なお、図1では、ネットワーク３０を介して４つの保管庫２０〜２６が管理装置１０と接続される例を示しているが、保管庫の数は、４に限らず、１であっても、複数であってもいずれでもよい。
【００２８】
管理装置１０は、ネットワーク３０を介して接続される各保管庫２０〜２６の管理を行う装置である。
【００２９】
保管庫２０〜２６は、図１に示されるように、施錠可能に設けられた扉などの開閉部３２を有しており、開錠された開閉部３２を開くことにより、図示しない収納領域に保管対象物を保管できるようになっている。開閉部３２は、例えば、電気錠により施錠可能に構成されている。
【００３０】
また、保管庫２０〜２６は、識別対象者の識別情報を読み取るための識別情報読取装置３４を有しており、識別情報読取装置３４により読み取った識別対象者の識別情報を用いて認証を行い、開閉部３２の施錠又は開錠を行うよう構成されている。
【００３１】
なお、本実施形態の識別情報読取装置３４は、例えば、内蔵した図示しないカメラにより、識別対象者の指又は掌の静脈パターンを取得する。指又は掌などの手の静脈パターンを取得することにより、他の生体情報を用いる場合に比べ、認証精度を高くすることができる。ただし、識別情報読取装置３４は、指又は掌の静脈パターンに限らず、例えば、指紋、顔、虹彩等の他の生体情報を取得してもよい。また、識別情報読取装置３４は、識別情報として、識別対象者のＩＤ番号などをＩＣカード又は磁気カードなどの記憶媒体から取得してもよい。
【００３２】
図２は、図１に示した管理装置１０のハードウェア構成を例示する図である。
【００３３】
図２に示すように、管理装置１０は、メモリ３６及びＣＰＵ３８などを含む制御装置４０、入力装置及び表示装置などを含むＵＩ（ユーザインタフェース）装置４２、保管庫２０〜２６等との間でデータ通信を行うための通信装置４４、及び、ＨＤ，ＣＤ，ＤＶＤ，ＦＤ，不揮発性メモリ，ＵＳＢメモリなどの記憶媒体４６に対してデータの書き込み及び読み出しを行う記録装置４８などから構成される。また、図２に示すように、管理装置１０は、さらに、識別対象者の指又は掌の静脈パターンを取得する識別情報読取装置５０を有していてもよい。なお、識別情報読取装置５０は、識別情報読取装置３４と同様、指又は掌の静脈パターンに限らず、他の生体情報を取得してもよいし、識別対象者のＩＤ番号などを取得してもよい。
【００３４】
図３は、図１に示した保管庫２０〜２６のハードウェア構成を例示する図である。
【００３５】
図３に示すように、保管庫２０〜２６も、それぞれ、メモリ５２及びＣＰＵ５４などを含む制御装置５６、入力装置及び表示装置などを含むＵＩ装置５８、管理装置１０又は他の保管庫等との間でデータ通信を行うための通信装置６０、及び、ＨＤ，ＣＤ，ＤＶＤ，ＦＤ，不揮発性メモリ，ＵＳＢメモリなどの記憶媒体６２に対してデータの書き込み及び読み出しを行う記録装置６４、上記の識別情報読取装置３４などから構成される。
【００３６】
このように、管理装置１０及び保管庫２０〜２６それぞれは、他と通信可能なコンピュータとしての構成部分を有している。
【００３７】
図４は、管理装置１０で実行されるプログラム１００の構成及び保管庫２０〜２６で実行されるプログラム２００の構成を例示する図である。なお、プログラム１００は、例えば、メモリ３６に記憶されて、ＣＰＵ３８により実行される。また、プログラム２００は、例えば、メモリ５２に記憶されて、ＣＰＵ５４により実行される。
【００３８】
まず、管理装置１０におけるプログラム１００について説明する。
【００３９】
図４に示すように、プログラム１００は、識別情報取得部１０２、認証制御部１０４、登録管理部１０６、開錠施錠条件設定部１０８、保管庫状態監視部１１０、履歴管理部１１２、送信制御部１１４、及び、受信制御部１１６から構成される。
【００４０】
識別情報取得部１０２は、上記識別情報読取装置５０により読み取られた識別情報を取得する。本実施形態では、識別情報として、識別対象者の指又は掌の静脈パターンを取得し、取得した識別情報を、認証制御部１０４に出力する。
【００４１】
認証制御部１０４は、識別情報取得部１０２により取得された識別情報に基づいて、後述する登録管理部１０６、開錠施錠条件設定部１０８及び履歴管理部１１２における各処理の実行を許可するための認証を行う。認証制御部１０４は、例えば、記憶媒体４６に予め記憶された使用者ごとの指又は掌の静脈パターンと、識別情報取得部１０２により取得された識別対象者の指又は掌の静脈パターンとを比較し、両者が一致した場合又は差異が予め定めた範囲内である場合に、認証成功と判定し、後述する登録管理部１０６、開錠施錠条件設定部１０８、履歴管理部１１２における各処理の実行に関する識別対象者の操作を許可する。
【００４２】
登録管理部１０６は、開閉部３２の開錠又は施錠を行うことができる使用者（以下、開錠施錠ユーザ）についての保管庫２０〜２６における登録を管理する。登録管理部１０６は、保管庫２０〜２６のいずれかにおける後述する登録制御部２０２からの登録要求を、受信制御部１１６が受信した場合に、登録の可否について決定し、登録許可情報又は登録拒否情報を送信制御部１１４を介して登録制御部２０２へ返信する。
【００４３】
具体的には、例えば、ＵＩ装置４２を介して、認証制御部１０４による認証が成功した使用者が、登録を許可する操作又は登録を拒否する操作を行い、その操作に応じて、登録許可情報又は登録拒否情報を登録制御部２０２へ返信する。
【００４４】
開錠施錠条件設定部１０８は、保管庫２０〜２６における開閉部３２の開錠又は施錠に関する条件を設定する。なお、保管庫２０〜２６では、識別情報読取装置３４により読み取られた識別情報と、開錠施錠条件設定部１０８により設定された条件とに基づいて、開閉部３２の開錠又は施錠を行う。
【００４５】
また、開閉部３２の内側の収納領域に、さらに施錠可能な開閉部を備えた収納領域がある場合には、開錠施錠条件設定部１０８は、開閉部３２の内側の開閉部についての開錠又は施錠に関する条件を設定してもよい。
【００４６】
図５は、開閉部３２の内側の収納領域に、さらに施錠可能な開閉部を備えた保管庫２０の斜視図である。なお、保管庫２２〜２６についても、図５に示した構成と同様に構成されていてもよい。
【００４７】
図５に示した例では、保管庫２０の開閉部３２が開かれた状態を示しており、開閉部３２の内側の収納領域には、少なくとも１つ以上の施錠可能に設けられた副開閉部３３と、この副開閉部３３の施錠又は開錠のための識別情報を読み取る副識別情報読取装置３５が設けられている。なお、副識別情報読取装置３５は、識別情報読取装置３４と同様の構成であり、図５のように、副開閉部３２それぞれごとに設けられていてもよいし、１つであってもよい。また、副開閉部３３を開けると、図示しない収納領域に保管対象物を保管できるようになっている。
【００４８】
本実施形態の開錠施錠条件設定部１０８は、例えば、予め定めた使用者ごとの使用可能な時間帯情報を条件として設定する。具体的には、登録管理部１０６により開錠施錠ユーザとしての登録がなされた使用者ごとに、開錠又は施錠が可能な時間帯を設定する。
【００４９】
開錠施錠条件設定部１０８は、例えば、ＵＩ装置４２を介して、開錠又は施錠が可能な時間帯の指定を受付けて、開閉部３２の開錠又は施錠に関する条件を設定する。なお、開錠施錠条件設定部１０８は、認証制御部１０４による認証が成功した場合に、開錠又は施錠が可能な時間帯の指定を受け付ける。
【００５０】
保管庫状態監視部１１０は、保管庫２０〜２６の状態を監視する。保管庫状態監視部１１０は、受信制御部１１６が受信した後述する各部状態監視部２０８からの監視情報を取得し、保管庫２０〜２６の状態を監視する。なお、後述するように保管庫２０〜２６の各部状態監視部２０８は、監視情報として、開閉部３２が開錠した時間又は施錠した時間などの履歴情報、構成機器の故障などの異常情報、設定が変更された場合の設定変更情報などを出力する。
【００５１】
また、保管庫状態監視部１１０は、保管庫２０〜２６への通信状態を確認し、保管庫２０〜２６のいずれかへの通信異常が発生していないか否かを監視する。保管庫状態監視部１１０は、各部状態監視部２０８から取得した監視情報及び保管庫２０〜２６の通信状態についての監視情報を履歴管理部１１２へ出力する。
【００５２】
履歴管理部１１２は、保管庫状態監視部１１０からの監視情報に基づいて、保管庫２０〜２６についての履歴の一覧を作成する。また、履歴管理部１１２は、作成された履歴の一覧を管理する。例えば、履歴管理部１１２は、認証制御部１０４による認証が成功した使用者の操作に応じ、ＵＩ装置４２に履歴の一覧を出力する。
【００５３】
図６は、履歴管理部１１２によりＵＩ装置４２へと出力される履歴一覧を例示する表である。図６に示されるように、保管庫の開錠履歴、施錠履歴、設定変更の履歴などが表示される。また、履歴管理部１１２は、保管庫ごとにこれらの表示を行ってもよい。また、履歴管理部１１２は、後述する登録制御部２０２による登録履歴を表示してもよい。
【００５４】
送信制御部１１４は、管理装置１０から、保管庫２０〜２６のいずれかへと、通信ＩＦ４４を介して情報を送信するよう制御する。例えば、送信制御部１１４は、登録管理部１０６からの登録許可情報又は登録拒否情報を送信する。
【００５５】
受信制御部１１６は、保管庫２０〜２６のいずれかから送信された情報について、通信ＩＦ４４を介して受信するよう制御する。例えば、保管庫２０〜２６の登録制御部２０２からの登録要求、各部状態監視部２０８からの監視情報を受信する。
【００５６】
次に、保管庫２０〜２６におけるプログラム２００について説明する。
【００５７】
プログラム２００は、登録制御部２０２、識別情報取得部２０４、開錠施錠制御部２０６、各部状態監視部２０８、送信制御部２１０、及び、受信制御部２１２から構成される。
【００５８】
登録制御部２０２は、開錠施錠ユーザの登録について制御する。登録制御部２０２は、ＵＩ装置５８から入力される登録指示に応じ、管理装置１０に対し、送信制御部２１０を介して登録要求を送信する。
【００５９】
登録制御部２０２は、受信制御部２１２を介して、登録許可情報を受信した場合、後述する識別情報取得部２０４により識別情報を取得して開錠施錠ユーザの登録を行うよう制御する。本実施形態では、登録制御部２０２は、開錠施錠ユーザとして登録される使用者の指又は掌の静脈パターンを、この使用者の情報とともに例えば記憶媒体６２に記憶する。
【００６０】
一方、登録制御部２０２は、受信制御部２１２を介して、登録拒否情報を受信した場合、開錠施錠ユーザの登録を行わないよう制御する。
【００６１】
識別情報取得部２０４は、識別情報読取装置３４により読み取られた識別情報を取得する。本実施形態では、識別情報として、識別対象者の指又は掌の静脈パターンを取得し、取得した識別情報を、登録制御部２０２又は開錠施錠制御部２０６に出力する。
【００６２】
なお、図５に示すように、副識別情報読取装置３５を備える場合には、識別情報取得部２０４は、識別情報読取装置３４により読み取られた識別情報及び副識別情報読取装置３５により読み取られた識別情報を取得する。
【００６３】
開錠施錠制御部２０６は、識別情報取得部２０４が取得した識別情報と、管理装置１０から送信された開閉部３２の開錠又は施錠に関する条件とに基づいて、開閉部３２を開錠又は施錠するよう制御する。
【００６４】
開錠施錠制御部２０６は、識別情報取得部２０４が取得した識別情報に基づく認証が成功し、かつ、管理装置１０から送信された開閉部３２の開錠又は施錠に関する条件を満たす場合に、開閉部３２を開錠又は施錠するよう制御する。なお、開錠施錠制御部２０６は、記憶媒体６２に予め記憶された開錠施錠ユーザごとの指又は掌の静脈パターンと、識別情報取得部２０４により取得された識別対象者の指又は掌の静脈パターンとを比較し、両者が一致した場合又は差異が予め定めた範囲内である場合に、認証成功と判定する。
【００６５】
本実施形態では、管理装置１０の開錠施錠条件設定部１０８において、条件として、開錠施錠ユーザごとに使用可能な時間帯が設定されており、保管庫２０〜２６の開錠施錠制御部２０６は、認証が成功した開錠施錠ユーザに対して設定された使用可能な時間帯における開錠操作又は施錠操作である場合に、開閉部３２の開錠又は施錠を行うよう制御する。
【００６６】
図７は、登録制御部２０２によって登録された開錠施錠ユーザの情報の一例を示す表である。なお、図７に示される情報は、上述のとおり例えば記憶媒体６２に予め記憶されている。図７に示されるように、例えば、開錠施錠ユーザの名前、ＩＤ、識別情報取得部２０４により取得された識別情報、当該開錠施錠ユーザの権限を示す権限区分などが登録されている。
【００６７】
図８は、開錠施錠条件設定部１０８により設定された条件の一例を示す表である。図８に示した例では、権限区分ごとに利用可能時間帯が設定されている。図８に示されるように、利用可能時間帯を曜日によって変えるよう設定してもよい。また、図８に示した例では、権限区分ごとに利用可能時間帯を設定しているが、開錠施錠ユーザごとに設定してもよいし、利用可能時間帯として「ｘ１時からｙ１時及びｘ２時からｙ２時」などといったように複数の時間帯を設定してもよい。
【００６８】
開錠施錠制御部２０６は、例えば、図７に示される情報により既に登録されている識別情報と、認証のために識別情報取得部２０４により取得された識別情報とを比較して、認証の成功又は失敗を判定する。そして、開錠施錠制御部２０６は、認証が成功した場合に、例えば、図８のように予め設定されている条件に照らして、開錠又は施錠操作可能であるとき、開閉部３２の開錠又は施錠を行うよう制御する。
【００６９】
また、開錠施錠制御部２０６は、開閉部３２の開錠又は施錠を行った場合に、開錠又は施錠を行った開錠施錠ユーザの情報と時刻情報とを履歴として後述する各部状態監視部２０８へ出力する。また、開錠施錠制御部２０６は、さらに、認証を行った場合に認証が成功したのか否かについて時刻情報とともに各部状態監視部２０８に履歴として出力してもよい。また、認証が成功した開錠施錠ユーザについて、開錠又は施錠に関する条件を満たしたか否かを、時刻情報とともに各部状態監視部２０８へ履歴として出力してもよい。
【００７０】
なお、図５に示すように、副開閉部３３及び副識別情報読取装置３５を備える場合には、開錠施錠制御部２０６は、さらに、識別情報取得部２０４が取得した識別情報と、管理装置１０から送信された副開閉部３３の開錠又は施錠に関する条件とに基づいて、開閉部３３を開錠又は施錠するよう制御する。なお、副開閉部３３の開錠又は施錠に関する条件は、開閉部３３についての開錠又は施錠に関する条件と同じであってもよい。また、開錠施錠制御部２０６は、開錠又は施錠の制御に、開錠又は施錠に関する条件を用いなくてもよい。
【００７１】
各部状態監視部２０８は、保管庫の各構成部の状態を監視する。例えば、各部状態監視部２０８は、識別情報読取装置３４が正常に動作しているか否かを監視する。また、例えば、開閉部３２の開閉状態を監視する。また、各部状態監視部２０８は、開錠施錠制御部２０６からの履歴を取得する。
【００７２】
また、各部状態監視部２０８は、監視情報として各構成部の状態を送信制御部２１０を介して管理装置１０へと送信する。例えば、識別情報読取装置３４が故障した場合や施錠されている開閉部３２が開錠施錠制御部２０６による開錠制御がなさることなく開けられた場合などに、管理装置１０へ送信する。また、各部状態監視部２０８は、開錠施錠制御部２０６から取得した履歴を監視情報として、送信制御部２１０を介して管理装置１０へと送信する。
【００７３】
送信制御部２１０は管理装置１０へと、通信ＩＦ６０を介して情報を送信するよう制御する。例えば、送信制御部２１０は、登録制御部２０２からの登録要求、各部状態監視部２０８からの監視情報を送信する。
【００７４】
受信制御部２１２は、管理装置１０から送信された情報について、通信ＩＦ６０を介して受信するよう制御する。例えば、管理装置１０からの登録許可情報又は登録拒否情報を受信する。
【００７５】
次に、開錠施錠ユーザとして登録されるまでの動作について説明する。
図９は、開錠施錠ユーザとして登録されるまでの保管庫管理システム１の動作を示すフローチャートである。なお、以下の例では、保管庫２０における開錠施錠ユーザの登録について説明するが、保管庫２２〜２６についても同様である。
【００７６】
ステップ１００（Ｓ１００）において、保管庫２０における登録制御部２０２から管理装置１０に対し、登録要求が送信される。
【００７７】
ステップ１０２（Ｓ１０２）では、管理装置１０において、識別情報取得部１０２により識別情報が取得される。ここでは、例えば、開錠施錠ユーザの登録可否について入力を行う使用者についての識別情報が取得される。
【００７８】
ステップ１０４（Ｓ１０４）において、管理装置１０の認証制御部１０４により、ステップ１０２で取得した識別情報に基づく認証処理が行われ、認証が成功した場合にはステップ１０６へ移行し、認証が失敗した場合にはステップ１０２へと戻る。なお、認証が成功した場合には、当該使用者における登録管理部１０６についての操作が許可される。
【００７９】
ステップ１０６（Ｓ１０６）において、使用者による入力により登録管理部１０６が登録の可否について決定し、登録を許可する場合には、登録許可情報が保管庫２０へ送信されステップ１０８へ移行し、登録を許可しない場合には、登録拒否情報が保管庫２０へ送信されて終了する。
【００８０】
ステップ１０８（Ｓ１０８）において、保管庫２０の識別情報取得部２０４は、開錠施錠ユーザとしての登録対象である使用者についての識別情報を取得する。
【００８１】
ステップ１１０（Ｓ１１０）において、保管庫２０の登録制御部２０２は、開錠施錠ユーザとして登録を行う。また、登録制御部２０２は、登録された旨の通知を管理装置１０に送信する。なお、登録制御部２０２は、登録された使用者の情報（例えば図７に示される情報）を管理装置１０に送ってもよい。
【００８２】
ステップ１１２（Ｓ１１２）において、管理装置１０のＵＩ装置４２に、ステップ１１０において通知された情報が表示される。
【００８３】
次に、開錠又は施錠に関する条件が設定されるまでの動作について説明する。
図１０は、開錠又は施錠に関する条件が設定されるまでの保管庫管理システム１の動作を示すフローチャートである。
【００８４】
ステップ２００（Ｓ２００）では、管理装置１０において、識別情報取得部１０２により識別情報が取得される。ここでは、例えば、開錠又は施錠に関する条件について入力を行う使用者についての識別情報が取得される。
【００８５】
ステップ２０２（Ｓ２０２）において、管理装置１０の認証制御部１０４より、ステップ２００で取得した識別情報に基づく認証処理が行われ、認証が成功した場合にはステップ２０４へ移行し、認証が失敗した場合にはステップ２００へと戻る。なお、認証が成功した場合には、当該使用者における開錠施錠条件設定部１０８についての操作が許可される。
【００８６】
ステップ２０４（Ｓ２０４）において、使用者による入力に基づいて開錠施錠条件設定部１０８は条件を設定する。
【００８７】
なお、開錠施錠ユーザの登録と開錠又は施錠に関する条件の設定とは、それぞれ別に行われる必要はない。例えば、開錠又は施錠に関する条件の設定が、図９に示すフローチャートにおけるステップ１０６において登録が許可される場合に、ステップ１０６とステップ１０８との間で行われるようにしてもよい。
【００８８】
次に、開錠又は施錠がなされる動作について説明する。
図１１は、開錠又は施錠についての保管庫管理システム１の動作を示すフローチャートである。なお、以下の例では、保管庫２０における開錠施錠ユーザの登録について説明するが、保管庫２２〜２６についても同様である。
【００８９】
ステップ３００（Ｓ３００）において、保管庫２０における識別情報取得部２０４は、開錠施錠ユーザの識別情報を取得する。
【００９０】
ステップ３０２（Ｓ３０２）において、ステップ３００で取得した識別情報に基づいて認証成功か認証失敗かを判定する。保管庫２０における開錠施錠制御部２０６は、例えば、図７に示される情報により既に登録されている識別情報と、認証のためにステップ３００で識別情報取得部２０４により取得された識別情報とを比較して、認証の成功又は失敗を判定する。認証成功の場合、ステップ３０４へ移行し、認証失敗の場合、終了する。
【００９１】
ステップ３０４（Ｓ３０４）において、保管庫２０における開錠施錠制御部２０６は、設定されている開錠又は施錠に関する条件を満たすか否かを判定する。例えば、図８のように予め設定されている条件に照らして、ステップ３０２で認証された施錠開錠ユーザの利用可能時間帯である場合には、ステップ３０６へ移行し、利用可能時間帯ではない場合には、終了する。
【００９２】
ステップ３０６（Ｓ３０６）において、保管庫２０における開錠施錠制御部２０６は、開閉部３２の開錠又は施錠を行うよう制御する。
【００９３】
なお、図１１に示した例では、１人の開錠施錠ユーザについてステップ３０２における認証及びステップ３０４における条件との比較を行ったが、複数人について行ってもよい。
【００９４】
また、副開閉部３３及び副識別情報読取装置３５を備える場合には、副開閉部３３の施錠又は開錠について、図１１に示したフローチャートと同様の動作が行われる。
【００９５】
図１２は、開錠又は施錠について複数の開錠施錠ユーザの認証を必要とする場合の保管庫管理システム１の動作を示すフローチャートである。
【００９６】
図１２に示されるフローチャートでは、図１１に示されるフローチャートにさらにステップ３１０〜３１４が追加されている。ステップ３００〜３０４では、第１の識別対象者から識別情報を取得し認証及び利用可能時間帯であるかの判定を行い、ステップ３１０〜３１４では、第２の識別対象者から識別情報を取得し認証及び利用可能時間帯であるかの判定を行う。
【００９７】
次に第１の実施形態の変形例について説明する。第１の実施形態では、開錠又は施錠に用いる識別情報は、保管庫２０〜２６の識別情報読取装置３４により読み取られた識別情報を用いる例を説明したが、第１の実施形態の変形例では、保管庫２０〜２６の識別情報読取装置３４により読み取られた識別情報と管理装置１０の識別情報読取装置５０により読み取られた識別情報とを用いる点で異なる。
【００９８】
図１３は、第１の実施形態の変形例において、管理装置１０で実行されるプログラム１１８の構成及び保管庫２０〜２６で実行されるプログラム２１４の構成を例示するブロック図である。
【００９９】
図１３において、プログラム１１８は、プログラム１００の識別情報取得部１０２が識別情報取得部１２０に置き換わり、送信制御部１１４が送信制御部１２２に置き換わった点でプログラム１００と異なる。また、プログラム２１４は、プログラム２００の受信制御部２１２が受信制御部２１６に置き換わり、開錠施錠制御部２０６が開錠施錠制御部２１８に置き換わった点でプログラム２００と異なる。
【０１００】
第１の実施形態における識別情報取得部１０２が、識別情報読取装置５０により読み取られた識別情報を認証制御部１０４に出力するのに対し、変形例における識別情報取得部１２０は、識別情報読取装置５０により読み取られた識別情報を送信制御部１２２にも出力する。
【０１０１】
送信制御部１２２は、第１実施形態の送信制御部１１４の機能に加え、識別情報取得部１２０から出力された識別情報も送信する機能を有する。
【０１０２】
一方、保管庫２０〜２６側において、受信制御部２１６は、第１実施形態の受信制御部２１２の機能に加え、上記送信制御部１２２から送信された識別情報も受信する機能を有する。
【０１０３】
保管庫２０〜２６側において、開錠施錠制御部２１８は、識別情報読取装置３４により読み取られ識別情報取得部２０４により取得された識別情報と、管理装置１０から送信され受信制御部２１２が受信した識別情報とを用いて、開閉部３２の開錠又は施錠の制御を行う。
【０１０４】
なお、第１の実施形態の変形例における、開錠又は施錠について保管庫管理システム１の動作は、例えば、図１２におけるステップ３００又はステップ３１０が次のように置き換わる。第１の実施形態の変形例では、ステップ３００又はステップ３１０に変わる動作として、識別情報取得部１２０が、管理装置１０の識別情報読取装置５０により読み取られた識別情報を取得し、送信制御部１２２が、取得された識別情報を保管庫２０へと送信し、保管庫２０側では受信制御部２１６が識別情報を受信し、開錠施錠制御部２１８に出力する動作となる。
【０１０５】
次に第２の実施形態について説明する。第２の実施形態では、設定条件変更部１２６を有する点で、第１の実施形態と異なる。
【０１０６】
図１４は、第２の実施形態において、管理装置１０で実行されるプログラム１２４の構成及び保管庫２０〜２６で実行されるプログラム２２０の構成を例示するブロック図である。
【０１０７】
図１４において、プログラム１２４は、設定条件変更部１２６が追加され、プログラム１００の保管庫状態監視部１１０が、保管庫状態監視部１２８に置き換わり、送信制御部１１４が送信制御部１３０に置き換わった点でプログラム１００と異なる。また、プログラム２２０は、プログラム２００の受信制御部２１２が受信制御部２２２に置き換わり、開錠施錠制御部２０６が開錠施錠制御部２２４に置き換わった点でプログラム２００と異なる。
【０１０８】
保管庫状態監視部１２８は、第１の実施形態の保管庫状態監視部１１０の機能に加え、各部状態監視部２０８から取得した監視情報及び保管庫２０〜２６の通信状態についての監視情報を設定条件変更部１２６へ出力する機能を有する。
【０１０９】
設定条件変更部１２６は、保管庫２０〜２６のいずれかの状態が変化した場合に、開錠施錠条件設定部１０８により設定された条件を変更する。具体的には、設定条件変更部１２６は、保管庫状態監視部１２８から出力された監視情報により保管庫２０〜２６のいずれかの状態の変化を確認し、状態の変化があった場合に、開錠施錠条件設定部１０８により設定された条件を変更する。なお、変更情報は、送信制御部１３０を介して、保管庫側に送られる。
【０１１０】
例えば、設定条件変更部１２６は、保管庫２０〜２６の異常を示す監視情報を保管庫状態監視部１２８から得た場合、保管庫２０〜２６について、開錠できないよう条件を変更する。このとき、保管庫２０〜２６全ての保管庫について、開錠できないように条件を変更してもよいし、異常状態の保管庫のみ開錠できないよう条件を変更してもよい。また、例えば、スーパーバイザーなど限られた権限を有する開錠施錠ユーザのみが開錠できるよう条件を変更するようにしてもよい。
【０１１１】
また、設定条件変更部１２６は、保管庫２０〜２６の異常を示す監視情報を保管庫状態監視部１２８から得た場合、開錠又は施錠に関する条件を緩くするよう変更してもよい。例えば、開錠施錠条件設定部１０８が、ある開錠施錠ユーザに対し、９時から１７時までの利用可能時間帯を設定していた場合、設定条件変更部１２６は、利用可能時間帯を終日に変更してもよい。
【０１１２】
なお、設定条件変更部１２６は、保管庫２０〜２６における状態の変化にかかわらず、ＵＩ装置４２が受け付けた操作に従って、条件を変更するようにしてもよい。
【０１１３】
送信制御部１３０は、第１実施形態の送信制御部１１４の機能に加え、設定条件変更部１２６による変更情報も送信する機能を有する。
【０１１４】
一方、保管庫２０〜２６側において、受信制御部２２２は、第１実施形態の受信制御部２１２の機能に加え、上記送信制御部１３０から送信された変更情報も受信する機能を有する。
【０１１５】
保管庫２０〜２６側において、開錠施錠制御部２２４は、識別情報取得部２０４により取得された識別情報と、受信制御部２２２が受信した設定条件変更部１２６により変更された条件とを用いて、開閉部３２の開錠又は施錠の制御を行う。
【０１１６】
以上、第２の実施形態の説明において、保管庫の状態に変化があった場合に、設定条件変更部１２６が開錠施錠条件設定部１０８により設定された条件を変更する例を示したが、保管庫の状態に変化があった場合に、設定条件変更部１２６が新たな条件を設定してもよい。例えば、保管庫の状態に変化があった場合に、設定条件変更部１２６が、全ての保管庫２０〜２６について開錠ができないように新たな条件を設定してもよい。
【０１１７】
次に第２の実施形態の変形例について説明する。第２の実施形態の変形例では、開錠施錠ユーザが、保管庫２０〜２６のいずれかにおいて開錠操作を行っている際に、他の保管庫において当該開錠施錠ユーザが開錠を行えないように条件を変更する。
【０１１８】
図１５は、第２の実施形態の変形例において、管理装置１０で実行されるプログラム１３２の構成及び保管庫２０〜２６で実行されるプログラム２２６の構成を例示するブロック図である。
【０１１９】
図１５において、プログラム１３２は、プログラム１２４の受信制御部１１６が、受信制御部１３４に置き換わり、保管庫状態監視部１２８が、保管庫状態監視部１３６に置き換わり、設定条件変更部１２６が設定条件変更部１３８に置き換わった点で、第２の実施形態のプログラム１２４と異なる。また、プログラム２２６は、プログラム２２０の開錠施錠制御部２２４が開錠施錠制御部２２８に置き換わり、各部状態監視部２０８が各部状態監視部２３０へ置き換わり、送信制御部２１０が送信制御部２３２に置き換わった点で第２の実施形態のプログラム２２０と異なる。
【０１２０】
受信制御部１３４は、第１の実施形態の受信制御部１１６の機能に加え、保管庫２０〜２６から開錠施錠制御部２２８により開錠制御された開錠施錠ユーザの情報を受信する機能を有する。
【０１２１】
保管庫状態監視部１３６は、第１の実施形態の保管庫状態監視部１１０の機能に加え、受信制御部１３４が受信した開錠施錠ユーザの情報を設定条件変更部１３８へ出力する機能を有する。
【０１２２】
設定条件変更部１３８は、開錠施錠ユーザが、保管庫２０〜２６のいずれかにおいて開錠操作を行っている際に、他の保管庫において当該開錠施錠ユーザが開錠を行えないように条件を変更する。具体的には、設定条件変更部１３８は、保管庫状態監視部１３６から出力された監視情報により保管庫２０〜２６のいずれかにおける開錠制御を把握し、当該開錠制御に関わる開錠施錠ユーザの情報から特定される開錠施錠ユーザについて、他の保管庫について開錠を行うことができないよう制御する。
【０１２３】
また、設定条件変更部１３８は、開錠施錠ユーザが、保管庫２０〜２６のいずれかにおいて施錠操作を行った場合には、当該開錠施錠ユーザが他の保管庫において開錠を行うことができるよう条件を戻す。
【０１２４】
一方、保管庫２０〜２６側において、開錠施錠制御部２２８は、識別情報取得部２０４により取得された識別情報と、設定条件変更部１３８により変更された条件とを用いて、開閉部３２の開錠又は施錠の制御を行う。また、開錠施錠制御部２２８は、開錠制御又は施錠制御する場合、当該開錠又は施錠を行った開錠施錠ユーザの情報を各部状態監視部２３０に出力する。
【０１２５】
各部状態監視部２３０は、第１の実施形態の各部状態監視部２０８の機能に加え、開錠施錠制御部２２８が出力した開錠施錠ユーザの情報を、送信制御部２３２へ出力する機能を有する。
【０１２６】
送信制御部２３２は、第１の実施形態の送信制御部２１０の機能に加え、開錠又は施錠を行った開錠施錠ユーザの情報を送信する機能を有する。
【０１２７】
次に第３の実施形態について説明する。第３の実施形態では、保管庫２０〜２６の開錠順序を定める点で、上記各実施形態と異なる。
【０１２８】
図１６は、第３の実施形態において、管理装置１０で実行されるプログラム１４０の構成及び保管庫２０〜２６で実行されるプログラム２３４の構成を例示するブロック図である。
【０１２９】
図１６において、プログラム１４０は、第２実施形態のプログラム１２４の開錠施錠条件設定部１０８が、開錠施錠条件設定部１４２に置き換わり、設定条件変更部１２６が設定条件変更部１４４に置き換わった点で、第２の実施形態のプログラム１２４と異なる。また、プログラム２３４は、プログラム２２０の開錠施錠制御部２２４が開錠施錠制御部２３６に置き換わった点で第２の実施形態のプログラム２２０と異なる。
【０１３０】
開錠施錠条件設定部１４２は、開錠施錠条件設定部１０８の機能に加え、開錠に関する条件として、保管庫２０〜２６の開錠順序を設定する。
【０１３１】
例えば、開錠施錠条件設定部１４２は、開錠順序として、１番目に保管庫２０、２番目に保管庫２２、３番目に保管庫２４、４番目に保管庫２６を開錠するものとして条件を設定する。
【０１３２】
図１７は、開錠施錠条件設定部１４２により設定される条件の一例を示す表である。図１７（ａ）は、保管庫２０における開錠がまだ行われていない段階における条件を示している。この場合、保管庫２２〜２６においては、保管庫２０が未だ開錠されていないので、開錠されない。なお、保管庫２０においては、認証された開錠施錠ユーザが他の条件（例えば利用可能時間帯の条件）を満たすようであれば、当該開錠施錠ユーザによって保管庫２０の開閉部３２は開錠される。
【０１３３】
図１７（ｂ）は、保管庫２０における開錠がなされた段階における条件を示している。この場合、保管庫２４及び２６においては、保管庫２２が未だ開錠されていないので、開錠されない。
【０１３４】
図１７（ｃ）は、保管庫２２における開錠がなされた段階における条件を示している。この場合、保管庫２６においては、保管庫２４が未だ開錠されていないので、開錠されない。
【０１３５】
図１７（ｄ）は、保管庫２４における開錠がなされた段階における条件を示している。この場合、保管庫２６においては、認証された開錠施錠ユーザが他の条件（例えば利用可能時間帯の条件）を満たすようであれば、当該開錠施錠ユーザによって保管庫２６の開閉部３２は開錠される。
【０１３６】
設定条件変更部１４４は、第２の実施形態における設定条件変更部１２６の機能に加え、開錠施錠条件設定部１４２により設定された開錠順序を変更する機能を有する。例えば、設定条件変更部１４４は、ＵＩ装置４２からの入力に基づき、開錠順序として、１番目に保管庫２０、２番目に保管庫２２、３番目に保管庫２４、４番目に保管庫２６と設定されていた条件を、例えば、１番目に保管庫２６、２番目に保管庫２４、３番目に保管庫２２、４番目に保管庫２０と変更する。
【０１３７】
一方、保管庫２０〜２６側の開錠施錠制御部２３６は、第２の実施形態の開錠施錠制御部２２４の機能に加え、開錠又は施錠の条件として開錠施錠条件設定部１４２により設定された開錠順序を用いる。例えば、開錠施錠制御部２３６は、識別情報取得部２０４により取得された識別情報が認証に成功し、認証された開錠施錠ユーザの利用時間帯である場合、図１７に示した条件に基づいて、開錠又は施錠の制御を行う。
【０１３８】
次に第４の実施形態について説明する。第４の実施形態では、管理装置１０側からネットワーク３０を介した遠隔制御により保管庫２０〜２６の開閉部３２の開錠又は施錠を行うことができる点で他の実施形態と異なる。
【０１３９】
図１８は、第４の実施形態において、管理装置１０で実行されるプログラム１４６の構成及び保管庫２０〜２６で実行されるプログラム２３８の構成を例示するブロック図である。
【０１４０】
図１８において、プログラム１４６は、第１実施形態のプログラム１００に遠隔開錠施錠指示部１４８が追加され、認証制御部１０４が、認証制御部１５０に置き換わり、送信制御部１１４が送信制御部１５２に置き換わり、保管庫状態監視部１１０が、保管庫状態監視部１５４に置き換わった点で、第１の実施形態のプログラム１００と異なる。また、プログラム２３８は、第１実施形態のプログラム２００に遠隔開錠施錠制御部２４２が追加され、受信制御部２１２が受信制御部２４０に置き換わった点で第１の実施形態のプログラム２００と異なる。
【０１４１】
遠隔開錠施錠指示部１４８は、保管庫２０〜２６のうち一部の保管庫又は全ての保管庫について、開閉部３２の開錠又は施錠を行うよう開錠又は施錠対象の保管庫に対し指示する。具体的には、遠隔開錠施錠指示部１４８は、送信制御部１５２を介して、開錠又は施錠対象の保管庫に対して、開錠信号又は施錠信号を送信する。なお、開錠信号又は施錠信号は、開錠又は施錠対象の保管庫の受信制御部２４０により受信され、遠隔開錠施錠制御部２４２に通知され、通知を受けた遠隔開錠施錠制御部２４２は、開閉部３２を開錠又は施錠する。
【０１４２】
遠隔開錠施錠指示部１４８は、保管庫状態監視部１５４からの監視情報により状態の変化（例えば、異常状態）が通知された場合に、保管庫２０〜２６のうち一部の保管庫又は全ての保管庫について開閉部３２の開錠又は施錠を行うよう制御してもよいし、また、ＵＩ装置４２を介して受け付けた操作に従って、保管庫２０〜２６のうち一部の保管庫又は全ての保管庫について開閉部３２の開錠又は施錠を行うよう制御してもよい。
【０１４３】
認証制御部１５０は、第１の実施形態における認証制御部１０４の有する機能に加え、識別情報取得部１０２により取得された識別情報に基づいて、上記遠隔開錠施錠指示部１４８における各処理の実行を許可するための認証を行う。これにより、ＵＩ装置４２を介して受け付けた操作に従って制御を行う場合において、認証制御部１５０による認証が成功した使用者が、ＵＩ装置４２を介して操作したときに、遠隔開錠施錠指示部１４８は、開錠又は施錠を行うことが可能であり、認証に失敗した使用者は、遠隔開錠施錠指示部１４８による開錠又は施錠を行うことができない。
【０１４４】
送信制御部１５２は、第１の実施形態における送信制御部１１４の有する機能に加え、遠隔開錠施錠指示部１４８からの開錠信号又は施錠信号を開錠又は施錠対象の保管庫２０〜２６へと送信するよう制御する。
【０１４５】
保管庫状態監視部１５４は、第１の実施形態の保管庫状態監視部１１０の機能に加え、各部状態監視部２０８から取得した監視情報及び保管庫２０〜２６の通信状態についての監視情報を遠隔開錠施錠指示部１４８へ出力する機能を有する。
【０１４６】
一方、保管庫２０〜２６側において、受信制御部２４０は、第１実施形態の受信制御部２１２の機能に加え、上記送信制御部１５２から送信された解除又は施錠信号も受信する機能を有する。また、受信制御部２４０は、受信した開錠信号又は施錠信号を、遠隔開錠施錠制御部２４２に出力する。
【０１４７】
遠隔開錠施錠制御部２４２は、管理装置１０からの開錠信号又は施錠信号に従い、開閉部３２の開錠又は施錠を行うよう制御する。具体的には、遠隔開錠施錠制御部２４２は、受信制御部２４０が受信した開錠信号又は施錠信号に従い、開錠信号の場合には開閉部３２を開錠するよう制御し、施錠信号の場合には開閉部３２を施錠するよう制御する。
【０１４８】
以上の説明では、各部状態監視部２０８から取得した監視情報を、ネットワーク３０を介して取得し、管理装置１０から保管庫２０〜２６の一部又は全ての開閉部３２の開錠を行うことについて説明したが、例えば非常時に、次のように開錠するように構成してもよい。なお、ここでは、異常の発生を保管庫２０〜２６に設けられた図示しない非常通知ボタンにより通知するものとする。具体的には、開錠又は施錠についての制御基盤、識別情報読取装置３４の故障等の障害で保管庫２０〜２６の開錠施錠制御部２０６による開錠ができなくなった場合、以下のように開錠を行う。
【０１４９】
（１）例えば、サブ制御システムとしての遠隔開錠施錠制御部２４２がメイン制御システムとして開錠施錠制御部２４８又は識別情報読取装置３４の故障を検知する。
（２）保管庫２０〜２６に設置された非常通知ボタンの取り扱いが可能となる。
（３）使用者によって非常通知ボタンが操作される。
（４）非常通知ボタンが押されることにより、送信制御部２１０は、管理装置１０に対して異常の発生を通知する。
（５）管理装置１０における受信制御部１１６が通知を受信し、例えばＵＩ装置４２に表示し、また、送信制御部１６０は、ネットワーク３０を介して使用者に、例えば通知内容を電子メールで送信する。
（６）電子メールを受信した使用者について、認証制御部１５０が認証を行い、当該使用者の操作に従い、遠隔開錠施錠指示部１４８は、開錠信号を、非常ボタンが押された保管庫に送信する。
（７）遠隔開錠施錠制御部２４２は、開閉部３２の電気錠を開錠する。
【０１５０】
また、例えば非常時に、次のように開錠するよう構成してもよい。ここで、保管庫２０〜２６には、開閉部３２の開錠又は施錠の制御を行う機器（以下、開錠施錠制御機器という。）と接続する図示しない接続部が設けられており、この図示しない接続部に接続された開錠施錠制御機器からの制御により開錠又は施錠するよう構成する。開錠施錠制御機器は、開錠又は施錠するための制御プログラムを実行するコンピュータであり、例えば、携帯電話機、スマートフォンなどが該当する。
【０１５１】
具体的には、開錠又は施錠についての制御基盤、識別情報読取装置３４の故障等の障害で保管庫２０〜２６の開錠施錠制御部２０６による開錠ができなくなった場合、以下のように開錠を行う。
【０１５２】
（１）事前に保管庫に登録された開錠施錠制御機器を図示しない接続部に接続し、開錠施錠制御機器による通信によって、管理装置１０に異常の発生を通知する。
（２）管理装置１０における受信制御部１１６が通知を受信し、例えばＵＩ装置４２に表示する。
（３）管理装置１０の送信制御部１５２が、開錠するための制御プログラムを開錠施錠制御機器に送信する。なお、管理装置１０側の使用者は、開錠施錠制御機器の使用者に対し、開錠するための制御プログラムを実行するための暗証番号などのキーを例えば電話回線を通じて口頭で伝えてもよい。
（４）開錠施錠制御機器では、受信した開錠するための制御プログラムを実行して、開閉部３２の電気錠を開錠する。なお、実行に際して、キーが必要となる場合には、（３）で伝えられたキーを用いて、制御プログラムを実行する。
【０１５３】
次に、第４の実施形態の変形例について説明する。
第４の実施形態では、ネットワーク３０を介して、管理装置１０から保管庫２０〜２６の一部又は全ての開閉部３２の開錠又は施錠を行うことについて説明したが、第４の実施形態の変形例では、さらに、管理装置１０から保管庫２０〜２６の一部又は全ての開閉部３２の施錠を行う場合に、施錠された保管庫において開錠ができないように構成する。
【０１５４】
図１９は、第４の実施形態の変形例において、管理装置１０で実行されるプログラム１５６の構成及び保管庫２０〜２６で実行されるプログラム２４４の構成を例示するブロック図である。
【０１５５】
図１９において、プログラム１５６は、第４実施形態のプログラム１４６に設定条件変更部１５８が追加され、送信制御部１５２が送信制御部１６０に置き換わった点で、第４の実施形態のプログラム１５６と異なる。また、プログラム２４４は、第４実施形態のプログラム２３８の受信制御部２４０が受信制御部２４６に置き換わり、開錠施錠制御部２０６が、開錠施錠制御部２４８に置き換わった点で第４の実施形態のプログラム２３８と異なる。
【０１５６】
設定条件変更部１５８は、保管庫２０〜２６のうち施錠対象となった保管庫の開錠施錠制御部２４８が開錠制御を行わないよう条件を変更する。本実施形態では、設定条件変更部１５８は、遠隔開錠施錠指示部１４８により保管庫２０〜２６の一部又は全てに対して施錠する指示が行われた場合に、保管庫２０〜２６のうち施錠対象となった保管庫の開錠施錠制御部２４８が開錠制御を行わないよう条件を変更する。なお、設定条件変更部１５８は、遠隔開錠施錠指示部１４８による指示が行われたか否かにかかわらず、保管庫２０〜２６の一部又は全部に対して、開錠施錠制御部２４８が開錠制御を行わないよう条件を変更してもよい。
【０１５７】
設定条件変更部１５８は、例えば、全ての開錠施錠ユーザによる開錠を禁止するように条件を変更してもよいし、開錠施錠ユーザのうち、指定した権限区分に属する開錠施錠ユーザによる開錠を禁止するように条件を変更してもよい。また、例えば、設定条件変更部１５８は、全ての開錠施錠ユーザ又は一部の開錠施錠ユーザについて、時間帯を指定して、開錠を禁止するように条件を変更してもよい。なお、設定条件変更部１５８は、開錠施錠条件設定部１０８により設定された条件を変更してもよいし、新たな追加条件を設定するようにしてもよい。
【０１５８】
送信制御部１６０は、第４の実施形態における送信制御部１５２の有する機能に加え、さらに、設定条件変更部１５８による変更条件についての情報を、変更対象の保管庫へと送信するよう制御する。
【０１５９】
一方、保管庫２０〜２６側において、受信制御部２４６は、第４実施形態の受信制御部２４０の機能に加え、上記送信制御部１６０から送信された変更条件についての情報も受信する機能を有する。また、受信制御部２４０は、受信した変更条件についての情報を開錠施錠制御部２４８に出力する。
【０１６０】
開錠施錠制御部２４８は、第１の実施形態における開錠施錠制御部２０６の機能に加え、設定条件変更部１５８により変更された条件に従い、開錠施錠ユーザによる開錠を禁止するよう制御する。
【０１６１】
以上、各実施形態及び変形例について説明したが、上記各実施形態及び変形例については、一部又は全てを組み合わせて、保管庫管理システムを構成してもよい。また、各実施形態、変形例、又はこれらの組み合わせの形態において、保管庫の一部又は全てについて、上記副開閉部３２及び副識別情報読取装置３５を設けて構成してもよい。
【０１６２】
また、保管庫２０〜２６は、管理装置１０側で例えば開錠施錠条件設定部１０８により設定された条件を用いて、開閉部３２の開錠又は施錠をする構成について説明したが、開錠又は施錠に関する条件は、保管庫２０〜２６側で設定を行ってもよい。
【０１６３】
また、開錠又は施錠に関する条件として、開錠施錠ユーザの利用可能時間帯を必ずしも条件とする必要はなく、他の開錠又は施錠に関する条件を設定してもよい。
【０１６４】
また、以上の説明では、識別情報と、開錠又は施錠に関する条件との両方に基づいて、開閉部３２を開錠又は施錠するよう制御する構成について説明したが、開錠又は施錠に関する条件を設定せず、識別情報に基づいて開錠又は施錠するよう制御する構成としてもよい。
【符号の説明】
【０１６５】
１：保管庫管理システム
１０：管理装置
２０，２２，２４，２６：保管庫
３０：ネットワーク
３２：開閉部
３３：副開閉部
３４：識別情報読取装置
３５：副識別情報読取装置
１０２，１２０：識別情報取得部
１０４，１５０：認証制御部
１０６：登録管理部
１０８，１４２：開錠施錠条件設定部
１１０，１２８，１３６，１５４：保管庫状態監視部
１１２：履歴管理部
１１４，１２２，１３０，１５２，１６０：送信制御部
１１６，１３４：受信制御部
１２６，１３８，１４４，１５８：設定条件変更部
１４８：遠隔開錠施錠指示部
２０２：登録制御部
２０４：識別情報取得部
２０６：開錠施錠制御部
２０８，２３０：部状態監視部
２１０，２３２：送信制御部
２１２，２１６，２２２，２４０，２４６：受信制御部
２１８，２２４，２２８，２３６，２４８：開錠施錠制御部
２４２：遠隔開錠施錠制御部
【図１】
2014001567.tif 000003
【図２】
2014001567.tif 000004
【図３】
2014001567.tif 000005
【図４】
2014001567.tif 000006
【図５】
2014001567.tif 000007
【図６】
2014001567.tif 000008
【図７】
2014001567.tif 000009
【図８】
2014001567.tif 000010
【図９】
2014001567.tif 000011
【図１０】
2014001567.tif 000012
【図１１】
2014001567.tif 000013
【図１２】
2014001567.tif 000014
【図１３】
2014001567.tif 000015
【図１４】
2014001567.tif 000016
【図１５】
2014001567.tif 000017
【図１６】
2014001567.tif 000018
【図１７】
2014001567.tif 000019
【図１８】
2014001567.tif 000020
【図１９】
2014001567.tif 000021
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
管理装置と、施錠可能に設けられた開閉部を有する複数の保管庫とを備え、
前記管理装置は、
前記開閉部の開錠に関する条件として、前記保管庫の前記開閉部についての開錠手順を設定する条件設定手段と、
前記条件設定手段により設定された条件を前記保管庫へ送信する条件送信手段と
を有し、
前記保管庫は、
識別対象者の識別情報を取得する識別情報取得手段と、
前記管理装置から送信された条件を受信する条件受信手段と、
前記識別情報取得手段により取得された識別情報と予め記憶された識別情報とが一致するか又は差異が予め定められた範囲内であり、かつ、前記条件受信手段により受信した開錠手順に沿って操作された場合に、前記開閉部を開錠するよう制御する制御手段と
を有する
保管庫管理システム。
【請求項２】
前記条件設定手段は、前記開閉部の開錠に関する条件として、複数の前記保管庫の前記開閉部についての開錠順序を設定し、
前記制御手段は、前記識別情報取得手段により取得された識別情報と予め記憶された識別情報とが一致するか又は差異が予め定められた範囲内であり、かつ、前記条件受信手段により受信した開錠順序に該当した場合に、前記開閉部を開錠するよう制御する
請求項１記載の保管庫管理システム。
【請求項３】
前記管理装置は、
前記条件設定手段により設定された開錠順序を変更する開錠順序変更手段
をさらに有する
請求項２記載の保管庫管理システム。
【請求項４】
前記保管庫は、
前記制御手段により前記開閉部が開錠された場合に、前記識別対象者の情報を前記管理装置へと送信する識別対象者情報送信手段
をさらに有し、
前記管理装置は、
前記保管庫から送信された識別対象者の情報を受信する識別対象者情報受信手段
をさらに有し、
前記条件設定手段は、さらに、複数の前記保管庫のうち前記識別対象者情報受信手段が受信した識別対象者の情報の送信元の保管庫以外の保管庫に対し、該識別対象者の情報により特定される識別対象者による開錠ができないよう条件の設定を行う
請求項１乃至３いずれか記載の保管庫管理システム。
【請求項５】
前記管理装置は、
前記保管庫の状態を監視し、前記保管庫の状態が変化した場合に、前記条件設定手段により設定された条件を変更する設定条件変更手段
をさらに有し、
前記条件送信手段は、さらに、前記設定条件変更手段により変更された条件を送信する
請求項１乃至４いずれか記載の保管庫管理システム。
【請求項６】
前記条件設定手段は、さらに、前記保管庫のいずれかに異常が生じた場合に、全て又は一部の保管庫について前記開閉部の開錠ができないよう条件の設定を行う
請求項１乃至５いずれか記載の保管庫管理システム。
【請求項７】
前記条件設定手段は、さらに、予め定められた使用者ごとに定められた使用可能な時間帯を条件として設定し、
前記制御手段は、使用者としての前記識別対象者に定められた前記使用可能な時間帯でない場合には、前記開閉部を開錠しないよう制御する
請求項１乃至６いずれか記載の保管庫管理システム。
【請求項８】
前記識別情報取得手段は、第１の識別対象者及び該第１の識別対象者とは異なる第２の識別対象者からそれぞれ識別情報を取得し、
前記制御手段は、前記識別情報取得手段により取得された前記第１の識別対象者の識別情報と予め記憶された第１の識別情報とが一致するか又は差異が予め定められた範囲内であり、かつ、前記識別情報取得手段により取得された前記第２の識別対象者の識別情報と予め記憶された前記第１の識別情報とは異なる第２の識別情報とが一致するか又は差異が予め定められた範囲内であり、かつ、前記開閉部の開錠に関する条件を満たす場合に、前記開閉部を開錠するよう制御する
請求項１乃至７いずれか記載の保管庫管理システム。
【請求項９】
前記管理装置は、
第１の識別対象者の識別情報を取得する識別情報取得手段と、
該管理装置の前記識別情報取得手段により取得された識別情報を送信する識別情報送信手段と
をさらに有し、
前記保管庫は、
前記管理装置から送信された識別情報を受信する識別情報受信手段
をさらに有し、
前記制御手段は、前記識別情報受信手段により受信した前記第１の識別対象者の識別情報と予め記憶された第１の識別情報とが一致するか又は差異が予め定められた範囲内であり、かつ、前記第１の識別対象者とは異なる第２の識別対象者の前記保管庫の前記識別情報取得手段により取得された識別情報と予め記憶された前記第１の識別情報とは異なる第２の識別情報とが一致するか又は差異が予め定められた範囲内であり、かつ、前記開閉部の開錠に関する条件を満たす場合に、前記開閉部を開錠するよう制御する
請求項１乃至７いずれか記載の保管庫管理システム。
【請求項１０】
前記管理装置は、
前記保管庫の開閉部を開錠又は施錠する開錠施錠手段
をさらに有する
請求項１乃至９いずれか記載の保管庫管理システム。
【請求項１１】
前記条件設定手段は、さらに、前記開錠施錠手段により前記保管庫の開閉部が施錠する場合に、該開閉部の開錠を禁止するよう条件の設定を行う
請求項１０記載の保管庫管理システム。
【請求項１２】
前記保管庫は、
前記開閉部の開錠又は施錠の制御を行う機器と接続する接続手段
をさらに有し、
前記開閉部は、前記接続手段により接続された機器からの制御により開錠又は施錠される
請求項１乃至１１いずれか記載の保管庫管理システム。
【請求項１３】
施錠可能に設けられた開閉部と、
識別対象者の識別情報を取得する識別情報取得手段と、
管理装置から送信された、前記開閉部の開錠に関する条件を受信する条件受信手段と、
前記開閉部を開錠するよう制御する制御手段と
を有し、
前記開錠に関する条件は、開錠手順であり、
前記制御手段は、前記識別情報取得手段により取得された識別情報と予め記憶された識別情報とが一致するか又は差異が予め定められた範囲内であり、かつ、前記条件受信手段により受信した開錠手順に沿って操作された場合に、前記開閉部を開錠するよう制御する
保管庫。
【請求項１４】
前記開閉部の内側に、少なくとも１つ以上の施錠可能に設けられた副開閉部と、
前記開閉部の内側で、識別対象者の識別情報を取得する副識別情報取得手段と、
を有し、
前記制御手段は、さらに、少なくとも前記副識別情報取得手段により取得された識別情報に基づいて、前記副開閉部を開錠又は施錠するよう制御する
請求項１３記載の保管庫。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
管理装置と、施錠可能に設けられた開閉部を有する複数の保管庫とを備え、
前記管理装置は、
前記開閉部の開錠に関する条件として、複数の前記保管庫の前記開閉部についての開錠順序を設定する条件設定手段と、
前記条件設定手段により設定された条件を前記保管庫へ送信する条件送信手段と、
識別対象者の識別情報を取得する第１の識別情報取得手段と、
前記第１の識別情報取得手段により取得された識別情報を送信する識別情報送信手段と
を有し、
前記保管庫は、
識別対象者の識別情報を取得する第２の識別情報取得手段と、
前記管理装置から送信された条件を受信する条件受信手段と、
前記管理装置から送信された識別情報を受信する識別情報受信手段と、
前記識別情報受信手段により受信した第１の識別対象者の識別情報と予め記憶された第１の識別情報とが一致するか又は差異が予め定められた範囲内であり、かつ、前記第１の識別対象者とは異なる第２の識別対象者の前記第２の識別情報取得手段により取得された識別情報と予め記憶された前記第１の識別情報とは異なる第２の識別情報とが一致するか又は差異が予め定められた範囲内であり、かつ、前記条件受信手段により受信した開錠順序に該当した場合に、前記開閉部を開錠するよう制御する制御手段と
を有する
保管庫管理システム。
【請求項２】
管理装置と、施錠可能に設けられた開閉部を有する複数の保管庫とを備え、
前記管理装置は、
前記開閉部の開錠に関する条件として、複数の前記保管庫の前記開閉部についての開錠順序を設定する条件設定手段と、
前記条件設定手段により設定された条件を前記保管庫へ送信する条件送信手段と
を有し、
前記保管庫は、
第１の識別対象者及び該第１の識別対象者とは異なる第２の識別対象者からそれぞれ識別情報を取得する識別情報取得手段と、
前記管理装置から送信された条件を受信する条件受信手段と、
前記識別情報取得手段により取得された前記第１の識別対象者の識別情報と予め記憶された第１の識別情報とが一致するか又は差異が予め定められた範囲内であり、かつ、前記識別情報取得手段により取得された前記第２の識別対象者の識別情報と予め記憶された前記第１の識別情報とは異なる第２の識別情報とが一致するか又は差異が予め定められた範囲内であり、かつ、前記条件受信手段により受信した開錠順序に該当した場合に、前記開閉部を開錠するよう制御する制御手段と
を有する
保管庫管理システム。
【請求項３】
前記管理装置は、
前記条件設定手段により設定された開錠順序を変更する開錠順序変更手段
をさらに有する
請求項１又は２記載の保管庫管理システム。
【請求項４】
前記保管庫は、
前記制御手段により前記開閉部が開錠された場合に、前記識別対象者の情報を前記管理装置へと送信する識別対象者情報送信手段
をさらに有し、
前記管理装置は、
前記保管庫から送信された識別対象者の情報を受信する識別対象者情報受信手段
をさらに有し、
前記条件設定手段は、さらに、複数の前記保管庫のうち前記識別対象者情報受信手段が受信した識別対象者の情報の送信元の保管庫以外の保管庫に対し、該識別対象者の情報により特定される識別対象者による開錠ができないよう条件の設定を行う
請求項１乃至３いずれか記載の保管庫管理システム。
【請求項５】
前記管理装置は、
前記保管庫の状態を監視し、前記保管庫の状態が変化した場合に、前記条件設定手段により設定された条件を変更する設定条件変更手段
をさらに有し、
前記条件送信手段は、さらに、前記設定条件変更手段により変更された条件を送信する
請求項１乃至４いずれか記載の保管庫管理システム。
【請求項６】
前記条件設定手段は、さらに、前記保管庫のいずれかに異常が生じた場合に、全て又は一部の保管庫について前記開閉部の開錠ができないよう条件の設定を行う
請求項１乃至５いずれか記載の保管庫管理システム。
【請求項７】
前記条件設定手段は、さらに、予め定められた使用者ごとに定められた使用可能な時間帯を条件として設定し、
前記制御手段は、使用者としての前記識別対象者に定められた前記使用可能な時間帯でない場合には、前記開閉部を開錠しないよう制御する
請求項１乃至６いずれか記載の保管庫管理システム。
【請求項８】
前記管理装置は、
前記保管庫の開閉部を開錠又は施錠する開錠施錠手段
をさらに有する
請求項１乃至７いずれか記載の保管庫管理システム。
【請求項９】
前記条件設定手段は、さらに、前記開錠施錠手段により前記保管庫の開閉部が施錠する場合に、該開閉部の開錠を禁止するよう条件の設定を行う
請求項８記載の保管庫管理システム。
【請求項１０】
前記保管庫は、
前記開閉部の開錠又は施錠の制御を行う機器と接続する接続手段
をさらに有し、
前記開閉部は、前記接続手段により接続された機器からの制御により開錠又は施錠される
請求項１乃至９いずれか記載の保管庫管理システム。